【事件の表示】
　特願２０１２−１７１０３７「表示制御装置、表示制御方法およびプログラム」拒絶査定不服審判事件〔平成２６年　２月２０日出願公開、特開２０１４−　３２４４６、請求項の数（１１）〕について、次のとおり審決する。
【結　論】
　原査定を取り消す。
　本願の発明は、特許すべきものとする。
【理　由】
第１　手続きの経緯
　本願は、平成２４年８月１日の出願であって、平成２８年３月２５日付けで拒絶理由が通知され、平成２８年５月１１日付けで手続補正され、平成２８年１０月２７日付けで拒絶査定がされ、これに対し、平成２９年１月２４日付けで拒絶査定不服審判の請求がされ、同時に手続補正され、平成２９年８月２１日付けで拒絶理由通知（以下、「当審拒絶理由通知」という。）がされ、平成２９年９月１５日付けで手続補正されたものである。
第２　原査定の概要
　原査定（平成２８年１０月２７日付け拒絶査定）の概要は次のとおりである。
　本願請求項１−１２に係る発明は、以下の引用文献１―３，ａ―ｅに基づいて、その発明の属する技術の分野における通常の知識を有する者（以下、「当業者」という。）が容易に発明できたものであるから、特許法第２９条第２項の規定により特許を受けることができない。
　引用文献等一覧
１．特開２００５−１００１６０号公報
２．特開２００４−１７１３７５号公報
３．米国特許出願公開第２０１１／０３１４０４９号明細書
ａ．特開２００２−２８８１９９号公報（周知技術を示す文献；新たに引用　　された文献）
ｂ．特開２００８−８３７３８号公報（周知技術を示す文献；新たに引用さ　　れた文献）
ｃ．特開２０１１−９７３２８号公報（周知技術を示す文献；新たに引用さ　　れた文献）
ｄ．特開２００７−２４３３９７号公報（周知技術を示す文献；新たに引用　　された文献）
ｅ．特開２００３−１６７８３２号公報（周知技術を示す文献；新たに引用　　された文献）
第３　当審拒絶理由の概要
１．本願請求項１―３、７、８、１０、１１に係る発明は、以下の引用文献１に記載された発明であるから、特許法第２９条第１項第３号に該当し、特許を受けることができない。
２．本願請求項１―５、７、８、１０、１１に係る発明は、以下の引用文献１―６（請求項１、１０、１１は引用文献１−３）に基づいて当業者が容易に発明をすることができたものであるから、特許法第２９条第２項の規定により特許を受けることができない。
３．請求項１に記載の「対象画像」とは、既に撮像済みの「画像」を意味するのか、あるいはこれから撮像する「画像」を意味しているのか不明確であり、特許請求の範囲の請求項１−７、１０、１１の記載が、特許法第３６条第２号に規定する要件を満たしていない。
引用文献等一覧
１．米国特許出願公開第２０１１／０３１４０４９号明細書（拒絶査定時の　　引用文献３）
２．特開２００８−２９９４７２号公報
３．特開２０１１−１１８９１１号公報
４．特開２０１０−３３３４２号公報
５．国際公開第２００９／１２５４５０号
６．特開２００４−７０６１４号公報
第４　本願発明
　本願請求項１−１１に係る発明（以下、それぞれ「本願発明１」−「本願発明１１」という。）は、平成２９年９月１５日付けの手続補正で補正された特許請求の範囲の請求項１−１１に記載された事項により特定される発明であり、本願発明１−１１は以下のとおりの発明である。
【請求項１】
　画像データを管理するネットワーク上の１または２以上のサービス提供サーバから１または２以上の画像データに関するデータを取得する取得部と、
　前記取得部により取得されたデータのうちで、前記１または２以上の画像データの各々の注目度であって、サービス提供サーバが管理する複数の嗜好に対応するグループのうちの、ユーザにより指定された嗜好に対応するグループにおける注目度に応じた画像データに関するデータに基づく表示、および、撮像された画像データまたは撮像待機中の画像データである対象画像を含む表示画面を生成する表示制御部と、
　前記対象画像について、前記画像データに関するデータに基づく表示から選択された表示に関連付けられた処理を実行する処理部と、
を備え、
　前記１または２以上の画像データの各々の注目度は、前記１または２以上の画像データの各々のダウンロード回数、アクセス回数、引用回数またはコメント数である、表示制御装置。
【請求項２】
　前記画像データに関するデータは、前記画像データまたは前記画像データのサムネイルデータを含む、請求項１に記載の表示制御装置。
【請求項３】
　前記表示制御装置は、
　前記取得部により取得されたデータから、注目度の高い画像データに関するデータを優先的に選択する画像選択部をさらに備え、
　前記表示制御部は、前記画像選択部により選択されたデータに基づく表示を含む表示画面を生成する、請求項１に記載の表示制御装置。
【請求項４】
　前記画像選択部は、ユーザにより指定されたサービス提供サーバから取得されたデータから前記選択を行う、請求項３に記載の表示制御装置。
【請求項５】
　前記画像選択部は、ユーザにより指定されたサービス提供サーバが管理する複数のグループのうちの、ユーザにより指定されたグループにおける注目度に応じて前記選択を行う、請求項４に記載の表示制御装置。
【請求項６】
　前記画像選択部は、前記注目度をユーザにより指定された条件に従って特定する、請求項３に記載の表示制御装置。
【請求項７】
　前記表示制御装置は、
　撮像部をさらに備え、
　前記対象画像は、前記撮像部の撮像により得られた画像である、請求項１に記載の表示制御装置。
【請求項８】
　前記表示制御装置は、
　記憶部をさらに備え、
　前記対象画像は、前記記憶部に記憶された画像データの再生により得られる画像である、請求項１に記載の表示制御装置。
【請求項９】
　前記表示制御部は、前記取得部により取得されたデータのうちで、前記対象画像との類似度が閾値以上であり、かつ、注目度が閾値以上である画像データに関するデータが存在する場合、前記１または２以上のサービス提供サーバへの前記対象画像のアップロードを推奨する表示を含む表示画面を生成する、請求項８に記載の表示制御装置。
【請求項１０】
　画像データを管理するネットワーク上の１または２以上のサービス提供サーバから１または２以上の画像データに関するデータを取得することと、
　前記１または２以上の画像データに関するデータのうちで、前記１または２以上の画像データの各々の注目度であって、サービス提供サーバが管理する複数の嗜好に対応するグループのうちの、ユーザにより指定された嗜好に対応するグループにおける注目度に応じた画像データに関するデータに基づく表示、および撮像された画像データまたは撮像待機中の画像データである対象画像を含む表示画面を生成することと、
　前記対象画像について、前記画像データに関するデータに基づく表示から選択された表示に関連付けられた処理を実行することと、
を含み、
　前記１または２以上の画像データの各々の注目度は、前記１または２以上の画像データの各々のダウンロード回数、アクセス回数、引用回数またはコメント数である、表示制御方法。
【請求項１１】
　コンピュータを、
　画像データを管理するネットワーク上の１または２以上のサービス提供サーバから１または２以上の画像データに関するデータを取得する取得部と、
　前記取得部により取得されたデータのうちで、前記１または２以上の画像データの各々のダウンロード回数、アクセス回数、引用回数またはコメント数である注目度であって、
サービス提供サーバが管理する複数の嗜好に対応するグループのうちの、ユーザにより指定された嗜好に対応するグループにおける注目度に応じた画像データに関するデータに基づく表示、および撮像された画像データまたは撮像待機中の画像データである対象画像を含む表示画面を生成する表示制御部と、
　前記対象画像について、前記画像データに関するデータに基づく表示から選択された表示に関連付けられた処理を実行する処理部と、
として機能させるための、プログラム。　
第５　理由１（特許法第２９条第１項３号）、理由２（特許法第２９条第２項）について
１．引用文献、引用発明等
（１）平成２９年８月２１日付けの拒絶の理由に引用された引用文献１には、図面とともに次の事項が記載されている。（下線は、当審において付与した。以下、同様。）
ａ．［００２８］第８行−第１５行
「A subset 7 of the images 3 may be retrieved from the database 2 and presented to a user through an image interface system 8 in response to a query. The interface system 8 may be resident on or associated with an image capture device 9 or other client device that is capable of accessing a querying system 10, which in the exemplary embodiment is hosted by a remote computer device 11, here shown as a server, by way of the network 6.」
（当審仮訳：問合せに応じて画像３のサブセット７がデータベース２から検索され、イメージインタフェースシステム８を通してユーザに表示される。
インタフェースシステム８は、典型的な実施例において、ネットワーク６を介し、サーバとして示されたリモートコンピュータ装置１１がホストとなる問合せシステム１０にアクセスすることができる画像取込装置９
にある
ｂ．［００２９］
「[0029] The interface system 8 takes as input a first original digital image 12(a query image), which has been captured by the user on the image capture device 9. In the exemplary embodiment, the image 12 includes, as digital content, a landmark or scene which the user would like to retake with a view to producing a better quality image (target image 1). Information extracted from the image 12 is used to query the database 2 and retrieved similar images 7. In particular, the interface 8 submits the query image 12 (or information extracted therefrom) to the querying system 10, which queries the database 2. The querying involves comparing the information extracted from the query image 12 with similarly information extracted from the database image 3. Similar image 7, i.e., images whose information is determined to be similar to that of the query image, which may respectively include images, such as landmarks and/or scenes, are retrieved from the database 2 and sent, i.g., as reduced resolution images (“thumbnails”) , via the network 6 to the user interface 8.」
（当審仮訳：[００２９] 
インタフェースシステム８は画像取込装置９でユーザによって取得された最初のオリジナルのデジタル画像１２（問合せ画像）を入力として受ける。
画像１２から抽出された情報は、データベース２に問い合わせ、類似画像７を検索するために使われる。特に、インタフェース８は、問合せシステム１０に問合せ画像１２（あるいはそれから抽出された情報）を提出し、データベース２に問い合わせる。
類似画像７は、
問合せ画像に類似する
画像であり、データベース２から検索され、例えば、低減解像度画像（「サムネイル」）として、ネットワーク６を経由してユーザインタフェース８に送られる。
ｃ．［００３０］
「[0030] The information extracted from query image 12 and database images 2 may include metadata and image signature, which is representative of the content of the image are used in the query. The information for query image 12 is compared to the information of images 3 in the database 2.・・・A selection made by a user is received by interface 8, indicating a favorite photograph 13 which serves a model photograph. The selected photograph 13 is thus one for which the user desires to take a target photograph 1 which is similar in quality. An instructional guide (not shown) is generated to guide the user to take the target photograph 1, with an expectation that it will be of higher quality than the query photograph 12, e.g., similar to model photograph 13 served.」
（当審仮訳：［００３０］問合せ画像１２から抽出された情報とデータベース画像２は、メタデータと画像署名を含み、それは問合せにおいて使われる画像の代表的な内容である。問合せ画像１２の情報は、データベース２における画像３の情報と比較される。・・・
インタフェース８により、好きな写真１３を示すユーザの選択を受付けると、モデル写真が与えられる。選択された写真１３は、それと品質において類似であるターゲット写真１をユーザが撮ることを望むものである。
示されていない）インストラクションガイドがユーザを問合せ写真１２より品質が高いと期待できるターゲット写真１を撮るために例えば、提示されたモデル写真１３に類似するように案内が発生される。
ｄ．［００３５］
「The interface system 8 receives, as input, a query image 12, such as a photograph, to be processed. The image 12 received may be a captured photograph, for example, taken by a user, such as an amateur photographer. During processing, the image 12 may be stored in data memory 22 of the interface 8, such as the camera’s removable memory card, which is accessible to the processor 16.・・・The interface system 8 communicates with a display 23, such as the display of the image capture device 9. A user can select an image to be submitted to system 8 using appropriate controls 24 of the image capture device, such as a touch screen, selection buttons, combinations thereof, or like. The display 23 and user operable controls 24 thus serve as a graphical interface system 8 communicates with external devices, such as server 11, via a network interface 26. Query system 10 may be similarly provided with one more network interface 28,29.」
（当審仮訳：［００３５］
インタフェースシステム８は、写真のような問合せ画像１２を、処理するための入力として受け取る。受け取られた画像１２は、例えば、アマチュアカメラマンのような、ユーザによって撮られたられた写真である。
インタフェースシステム８は、画像取込装置９のディスプレイのような、ディスプレイ２３と通信する。ユーザは、タッチスクリーン、選択ボタン、その組み合わせのような、画像取込装置の適切な制御装置２４を使ってシステム８に提出するように画像を選択できる
ｅ．［００３７］第４行−第１９行
「In particular, the system 8 includes a user selection component 30 which receives the user’s selection of an image 12. An image shuttle 32 transfers the image(s)12 to the query system 10, together with metadata 33 respectively associated with the image. Metadata transferred to the query system 10 can include GPS location, camera model, settings of the camera, time/date information, and/or any image information associated with the digital image 12. An instruction generator 34 generates instructions for reproducing the selected image 13, based on information 35 associated with the image 12, such as metadata and comments 36 of the image supplier (FIG.1). A sorting component 37 sorts/orders the received image 7, e.g. , based on a user selection of one or more of a set of ranking criteria. A display generator 38 displays the instructions for reproducing the selected image 13 on the display 23.」
（当審仮訳：特に、
システム８は、画像１２のユーザの選択を受けるユーザ選択コンポ−ネント３０を含む。画像シャトル３２は、画像１２を当該画像と関連するメタデータ３３と共に問合せシステム１０に転送する。
ソーティングコンポーネント３７は、ユーザが選択した１以上の順位基準に基づいて、受け取った画像７の ソート/並び替えを行う。ディスプレイ２３で選択された画像１３を再現することに対して、ディスプレイジェネレータ３８がインストラクションを表示する。
ｆ．［００４８］
「[0048] The display device 23 is configured to display the similar images 7 to a user. The system 14 is not confined to one particular interface 8 and may comprise multiple display device 23. ・・・Ordering/sorting of the images 7 retrieved from the server 11 for presentation to the user can be performed at the photograph device (e.g., a digital camera) comprising image interface system 8 or on the server side when an index listing of the images is built. The images 7 may be arranged according to many different criteria.」
（当審仮訳：［００４８］
ディスプレイ装置２３は類似画像７をユーザに表示するように構成されている。
ｇ．［００５１］第６行−第１２行
「The user selection component 30, in addition to receiving the user’s selection of a query image12, may also be configured to receive a user selection of a particular one 13 of the retrieved images 7. This allows the systems 8 to assist the user to capture a target image 1, which is the image that the user desire to capture, with guidance from the system 8」
（当審仮訳：
ユーザ選択コンポーネント３０は、ユーザの問合せ画像１２の選択を受けることに加え、検索された画像７からユーザの特定の一つの画像１３の選択を受けるように構成されている。これはシステム８がユーザが撮影したいと望む画像であるターゲット画像１を取り込むのに、システム８からのガイダンスでユーザを支援することを可能にする。
ｈ．［００５９］
「[0059] At S110 the image 7 are retrieved by the server and having similar signatures and /or metadata. In one embodiment, the photograph images are retrieved with a quality indication, such as a score that has been assigned to the photo. For example, a quality indication can comprise an aesthetic score and an originality score. These scores can be based on a number of criteria, for example, the amount of positive feedback a photograph has received by other users of the database 2.」
（当審仮訳：［００５９］S110では 、類似の署名および /またはメタデータを有する
画像７がサーバにより検索される。１つの実施例において、写真画像は写真に割り当てられたスコアのように、質の高さで検索される。例えば、質の高さは、審美的なスコアと独創性スコアで構成することができる。 これらのスコアは多くの基準、例えば、写真がデータベース２の他のユーザによって受けた肯定的なフィードバックの量に基づくことができる。
ｉ．［００８３］
「[0083] In another embodiment, user assistance provided (S116) is given in the form of instructions to guide the user among settings in which the model photograph12 was taken. ・・・ Settings may include setting such as aperture, shutter speed, focal length, manual vs. shutter priority selection, and other settings of image capture device that captured the photograph.」
（当審仮訳：［００８３］もう１つの実施例において、
与えられるユーザ支援
は、モデル写真12（当審注：「モデル写真１３」の誤記と認められる。）が撮影されたセッティングにユーザを案内するためのインストラクションのかたちで与えられる
セッティングは絞り、シャッタースピード、焦点距離、シャッター優先選択に対してのマニュアル、そして写真を取り込んだ画像取込装置の他のセッティングを含む。
　上記記載（特に下線部）によれば、引用文献１には、以下の発明（以下、「引用発明」という。）が記載されているといえる。
「インタフェースシステム８は、ネットワーク６を介し、サーバ１１がホストとなる問合せシステム１０にアクセスすることができるものであり、画像取込装置９のディスプレイ２３と通信し、ユーザは、タッチスクリーン、選択ボタン、その組み合わせを使って画像を選択できるものであり、
　画像取込装置９上でユーザによって取得された問合せ画像１２を入力として受け、問合せ画像１２を当該画像と関連するメタデータ３３と共に、類似画像７を検索するために問合せシステム１０に転送し、
　類似画像７は問合せ画像に類似する画像であり、データベース２から検索され、例えば、低減解像度画像（「サムネイル」）として、ネットワーク６を経由してインタフェース８に送られ、ディスプレイ２３は類似画像７をユーザに表示するように構成されており、
　サーバにより検索される類似画像７は、写真に割り当てられたスコアのように、質の高さで検索され、例えば、質の高さは、審美的なスコアと独創性スコアで構成することができ、これらのスコアは多くの基準、例えば、写真がデータベース２の他のユーザによって受けた肯定的なフィードバックの量に基づくことができ、
　ソーティングコンポーネント３７は、ユーザが選択した１以上の順位基準に基づいて、受取った画像７の ソート/並び替えを行い、
　ユーザ選択コンポーネント３０は、ユーザの問合せ画像１２の選択を受けることに加え、検索された類似画像７からユーザの特定の一つの画像１３の選択を受けるように構成され、選択された写真１３は、それと品質において類似であるターゲット写真１をユーザが撮ることを望むものであり、
　ディスプレイ２３で選択された画像１３を再現することに対して、ディスプレイジェネレータ３８がインストラクションを表示し、それは、ユーザが撮影したいと望む画像であるターゲット画像１を取り込むのに、システム８からのガイダンスでユーザを支援することであって、与えられるユーザ支援は、提示されたモデル写真１３が撮影されたセッティングにユーザを案内するためのインストラクションのかたちで与えられ、セッティングは絞り、シャッタースピード、焦点距離、シャッター優先選択に対してのマニュアル、そして写真を取り込んだ画像取込装置の他のセッティングを含む、インタフェースシステム８で構成される画像取込装置９。」
（２）平成２９年８月２１日付けの拒絶の理由に引用された引用文献２には、図面とともに次の事項が記載されている。
「【００２７】
　サイトサーバー１００は、このポイント付与システムを運営する会社のサイトを実質的に制御するもので、ポイント付与サーバーとも呼ぶ。詳細は図２で説明する。また、ＰＣ４０は、カメラユーザー所有のＰＣだけでなく、他人４１の第三者のＰＣも含む。このＰＣ４０で、サイトサーバー１００にアクセスしてカメラ２０から投稿された画像を閲覧したり、その閲覧した画像に評価コメントを付与する。」
「【００３９】
　ポイント付与部１０１ｅは、アップロードされた画像数、投稿画像が他人に見られた回数、投稿画像に対する他人の評価等に応じてポイントを決定し、決定したポイントを各ユーザーに付与する。さらに、単純に数字をカウントするのではなく、累積するとだんだん一回の加算数字が増加するような、ポイント数表示をしたりしてもよい。」
「【００６９】
　また、どの画像が一番人気があったかを撮影者ごとや全画像の中から選択できるような画像を、広告画像あるいは閲覧画像の１つとして提供できるようにしてもよい。またその閲覧結果から、各テーマによる好評画像を一画面で表示するような画像を、広告画像の一部に提供してもよい。この好評画像は、各ユーザー、各テーマごとのベスト３でもよいし、全画像、各テーマごとのベスト３などを含めてもよく、いくつかの画像からなる。このような人気画像を知ることによって、撮影者は、それを真似て人気の高い写真撮影を行うことも可能となる。」
（３）平成２９年８月２１日付けの拒絶の理由に引用された引用文献３には、図面とともに次の事項が記載されている。
「【００４４】
　また、ユーザが図１２における「バリエーション」ボタン３２５をクリックした場合には、サーバ側コンピュータ２は図１４に示すページを配信する。図１４に示すページには、右上側にユーザが選択した画像３３４を表示し、下側にサーバ側コンピュータ２により異なる画像処理がされた画像３３５を複数同時に表示する。ここで、表示される複数の画像３３５は、カメラにおける異なる撮影設定に合わせて、それぞれ異なる画像処理が施されている。例えば、画像全体の明るさを変更する画像処理を施した画像、主要被写体と背景との明るさを別々に変更する画像処理を施した画像等、カメラにおいて変更できる撮影設定に合わせて画像処理が施されている。画像全体の明るさを変更する画像処理に対応する撮影設定とは露出補正であり、主要被写体と背景とを別々に明るさを変更する画像処理に対応する撮影設定とはストロボ使用した撮影設定が相当する。ユーザが複数の画像３３５内の１つをクリックすることにより、クリックされた画像が選択された状態となる。そして、ユーザが図１４に示すページにおける「ＯＫ」ボタン３３６をクリックすると、サーバ側コンピュータ２は図１２に示すページを配信する。その時、図１２のページの画像３２４には、図１４に示すページにおいて選択した画像と同様の画像が表示される。また、選択した画像になされた画像処理が最適化の画像処理として使用される。」
２．　本願発明１について
（１）対比
（ア）引用発明の「問合せシステム１０」の「サーバ１１」は、データベース２から類似画像を検索するから、本願発明１の「画像データを管理するネットワーク上の１または２以上のサービス提供サーバ」に相当する。
（イ）引用発明は、データベース２から検索された類似画像７を、低減解像度画像（「サムネイル」）として、ネットワーク６を経由してインタフェース８に送り、ディスプレイ２３は類似画像７をユーザに表示するように構成しているから、本願発明１の「サービス提供サーバから１または２以上の画像データに関するデータを取得する取得部」に相当する構成を備えている。
（ウ）引用発明の「ソーティングコンポーネント３７は、ユーザが選択した１以上の順位基準に基づいて、受取った画像７の ソート/並び替え」を行うことは、本願発明１の「前記取得部により取得されたデータのうちで、前記１または２以上の画像データの各々の注目度であって、サービス提供サーバが管理する複数の嗜好に対応するグループのうちの、ユーザにより指定された嗜好に対応するグループにおける注目度に応じた画像データに関するデータに基づく表示」と、「前記取得部により取得されたデータのうちで、前記１または２以上の画像データの各々の注目度に応じた画像データに関するデータに基づく表示」である点では共通するといえる。
（エ）引用発明の「ユーザが撮影したいと望む画像であるターゲット画像１」は、本願発明１の「撮像された画像データまたは撮像待機中の画像データである対象画像」に相当する。
（オ）引用発明は、ディスプレイ２３に「類似画像７をユーザに表示」し、また、「ターゲット画像１」を表示することも明らかであり、当該表示制御を行う構成は、本願発明１の「ユーザにより指定された嗜好に対応するグループにおける注目度に応じた画像データに関するデータに基づく表示、および、撮像された画像データまたは撮像待機中の画像データである対象画像を含む表示画面を生成する表示制御部」を備える構成と、「注目度に応じた画像データに関するデータに基づく表示、および、撮像された画像データまたは撮像待機中の画像データである対象画像を含む表示画面を生成する表示制御部」を備える構成である点では共通するといえる。
（カ）引用発明は、「ディスプレイ２３で選択された画像１３を再現することに対して、ディスプレイジェネレータ３８がインストラクションを表示し、それは、ユーザが撮影したいと望む画像であるターゲット画像１を取り込むのに、システム８からのガイダンスでユーザを支援する」から、「選択されたモデル写真１３が撮影されたセッティング」で「ターゲット画像１を取り込む」構成であることは明らかであり、当該構成は、本願発明１の「前記対象画像について、前記画像データに関するデータに基づく表示から選択された表示に関連付けられた処理を実行する処理部」に相当するといえる。
（キ）引用発明の「インタフェースシステム８で構成される画像取込装置９」は、後述する相違点を除き、本願発明１の「表示制御装置」に相当する。
 そうすると、本願発明１と引用発明との間には、以下の一致点と相違点があるといえる。
（一致点）
「画像データを管理するネットワーク上の１または２以上のサービス提供サーバから１または２以上の画像データに関するデータを取得する取得部と、
　前記取得部により取得されたデータのうちで、前記１または２以上の画像データの各々の注目度に応じた画像データに関するデータに基づく表示、および、撮像された画像データまたは撮像待機中の画像データである対象画像を含む表示画面を生成する表示制御部と、
　前記対象画像について、前記画像データに関するデータに基づく表示から選択された表示に関連付けられた処理を実行する処理部と、
を備える、表示制御装置。」
（相違点１）
　一致点の表示制御部が生成する「表示画面」は、本願発明１では、「前記取得部により取得されたデータのうちで、前記１または２以上の画像データの各々の注目度であって、サービス提供サーバが管理する複数の嗜好に対応するグループのうちの、ユーザにより指定された嗜好に対応するグループにおける注目度に応じた画像データに関するデータに基づく表示」を含むのに対し、引用発明は、そのような構成ではない点。
（相違点２）
　一致点の「前記１または２以上の画像データの各々の注目度」が、本願発明１では、「前記１または２以上の画像データの各々のダウンロード回数、アクセス回数、引用回数またはコメント数」であるのに対し、引用発明では、そのような特定はない点。
（２）相違点についての判断
　相違点１について検討する。
　引用文献１〜６には、上記相違点に係る本願発明の構成である「サービス提供サーバが管理する複数の嗜好に対応するグループのうちの、ユーザにより指定された嗜好に対応するグループにおける注目度に応じた画像データに関するデータに基づく表示」を行うことは記載されてなく、示唆されてもおらず、また、本願出願前において周知の技術であったともいえない。
　したがって、本願発明１は、引用文献１に記載された発明ではない。
　また、本願発明１は、当業者であっても引用発明、引用文献２〜６記載の技術的事項に基づいて容易に発明をすることができたものであるともいえない。
２．本願発明２−９について
　本願発明２−９も、上記相違点に係る本願発明１の構成と同一の構成を備えるものであるから、本願発明１と同じ理由により、当業者であっても、引用発明及び引用文献２〜６記載の技術的事項に基づいて容易に発明をすることができたものとはいえない。
３．本願発明１０、１１について
　本願発明１０、１１は、本願発明１に対応する表示制御方法、プログラムの発明であり、上記相違点に係る本願発明１の構成に対応する構成を備えるものであるから、本願発明１と同様の理由により、引用文献１に記載された発明ではなく、当業者であっても、引用発明及び引用文献２〜６記載の技術的事項に基づいて容易に発明をすることができたものとはいえない。
第６　理由３（特許法第３６条第６項２号）について
　平成２９年９月１５日付けの補正により、「対象画像」という記載は、「撮像された画像データまたは撮像待機中の画像データである対象画像」に補正されており、理由３を維持することはできない。
第７　原査定についての判断
　平成２９年９月１５日付けの補正により、本願発明１―１１は「サービス提供サーバが管理する複数の嗜好に対応するグループのうちの、ユーザにより指定された嗜好に対応するグループにおける注目度注目度に応じた画像データに関するデータに基づく表示」という事項を有するものとなっており、当業者であっても、拒絶査定において引用された引用文献１〜３、ａ〜ｅに基づいて、容易に発明をすることができたものとはいえない。したがって、原査定を維持することはできない。
第８　むすび
　以上のとおり、当審拒絶理由、原査定の理由によっては、本願を拒絶することはできない。
　他に本願を拒絶すべき理由を発見しない。
　よって、結論のとおり審決する。